(57)【要約】【課題】カバーに接地フランジ部を覆うだけの機能以外に別の機能を備えさせる。【解決手段】取付下地２への第１固定部を下部に備えると共に、上側の固定対象である他物３を固定自在な第２固定部１０を上部に備え、縦筒状の固定具本体１４の下端部の周部に横外方に延設して取付下地２に接地する接地フランジ部１５を設け、その接地フランジ部１５と固定具本体１４とに亘る補強リブ１６を、固定具本体１４の周部の複数個所に設け、接地フランジ部１５及び補強リブ１６をそれらの上方から覆うカバー１７を設け、カバー１７の機械的取付連結部を複数の補強リブ１６に設けてある。【選択図】図２
2017025699.tif 000002
【特許請求の範囲】
【請求項１】
取付下地への第１固定部を下部に備えると共に、
上側の固定対象である他物を固定自在な第２固定部を上部に備え、
縦筒状の固定具本体の下端部の周部に横外方に延設して取付下地に接地する接地フランジ部を設け、
その接地フランジ部と前記固定具本体とに亘る補強リブを、前記固定具本体の周部の複数個所に設け、
前記接地フランジ部及び前記補強リブをそれらの上方から覆うカバーを設けた他物固定具であって、
前記カバーの機械的取付連結部を複数の前記補強リブに設けてある他物固定具。
【請求項２】
前記カバーを金属製で形成すると共に、
前記カバーの下端縁部を、前記取付下地に接地可能に構成してある請求項１に記載の他物固定具。
【請求項３】
前記接地フランジ部に取付下地に対する固定ボルトの挿通孔を設けて前記第１固定部に形成してあり、
前記挿通孔に挿通させる固定ボルトの上端部よりも高い位置になるように、前記カバーを前記補強リブに取り付け可能に形成してある請求項１または２に記載の他物固定具。
【請求項４】
前記固定具本体を多角筒形状に形成してあると共に、前記機械的取付連結部に取付後の前記カバーで前記固定具本体の周部を取り囲むように、前記カバーを前記固定具本体の周方向に複数に分割して分割カバーを形成し、夫々の前記分割カバー同士の突き合わせ端部を前記固定具本体の角部以外の側面部に位置するように形成してある請求項１〜３のいずれか１項に記載の他物固定具。
【請求項５】
前記分割カバーを、夫々平面視で小片部と大片部とが一体化した屈曲形状に形成して、前記小片部と前記大片部の夫々の遊端部に前記分割カバー同士の突き合わせ端部を形成してある請求項４に記載の他物固定具。
【請求項６】
取付下地への第１固定部を下部に備えると共に、
上側の固定対象である他物を固定自在な第２固定部を上部に備え、
縦筒状の固定具本体の下端部の周部に横外方に延設して取付下地に接地する接地フランジ部を設け、
前記接地フランジ部の上方を覆うフランジカバーを設け、
前記フランジカバーを、前記固定具本体の下端部よりも高い位置から前記接地フランジ部の外周側部分とに亘って斜めに架設して、それら両者に一体連結してある他物固定具。
【請求項７】
前記接地フランジ部に取付下地に対する固定ボルトの挿通孔を設けて前記第１固定部に形成してあり、
前記挿通孔に挿通させる固定ボルトの上端部よりも高い位置になるように、前記フランジカバーを前記接地フランジ部と前記固定具本体とに亘って着脱自在に取り付けてある請求項６に記載の他物固定具。
【発明の詳細な説明】
【技術分野】
【０００１】
本発明は、取付下地への第１固定部を下部に備えると共に、上側の固定対象である他物を固定自在な第２固定部を上部に備え、縦筒状の固定具本体の下端部の周部に横外方に延設して取付下地に接地する接地フランジ部を設け、その接地フランジ部と前記固定具本体とに亘る補強リブを、前記固定具本体の周部の複数個所に設け、前記接地フランジ部及び前記補強リブをそれらの上方から覆うカバーを設けた他物固定具に関する。
【背景技術】
【０００２】
従来、前記接地フランジ部及び補強リブは、固定具本体よりも外側に設置による支持範囲を増やして他物固定具の安定性を上げるために設けられ、その上で、カバーによって接地フランジ部の上方を覆って防水できるようにしてあった（例えば、特許文献１参照）。
【先行技術文献】
【特許文献】
【０００３】
【特許文献１】特開２０１２−１４０８４７号公報
【発明の概要】
【発明が解決しようとする課題】
【０００４】
上述した従来の他物固定具では、カバーは、固定具本体と取付下地に接着材によって固定されているだけで、接地フランジ部や取付下地の一部を覆い隠すだけの機能しかなかった。
【０００５】
従って、本発明の目的は、カバーに接地フランジ部を覆うだけの機能以外に別の機能を備えさせるようにするところにある。
【課題を解決するための手段】
【０００６】
本発明の第１の特徴構成は、取付下地への第１固定部を下部に備えると共に、上側の固定対象である他物を固定自在な第２固定部を上部に備え、縦筒状の固定具本体の下端部の周部に横外方に延設して取付下地に接地する接地フランジ部を設け、その接地フランジ部と前記固定具本体とに亘る補強リブを、前記固定具本体の周部の複数個所に設け、前記接地フランジ部及び前記補強リブをそれらの上方から覆うカバーを設けた他物固定具であって、前記カバーの機械的取付連結部を複数の前記補強リブに設けたところにある。
【０００７】
本発明の第１の特徴構成によれば、前記カバーの機械的取付連結部を複数の前記補強リブに設けたことにより、固定具本体の周部の複数個所に設けた複数の補強リブ同士がカバーによって機械的に連結され、そのために接地フランジ部と複数の補強リブとがカバーによって変形が起きにくく強固に一体化して接地フランジ部の強度を増すことができ、固定具本体に上下面に沿った回転力や引っ張り力、及び、横方向の外力が作用しても接地フランジ部による高い支持安定化を期待できるようになる。
【０００８】
本発明の第２の特徴構成は、前記カバーを金属製で形成すると共に、前記カバーの下端縁部を、前記取付下地に接地可能に構成したところにある。
【０００９】
本発明の第２の特徴構成によれば、本発明の第１の特徴構成による上述の作用効果を叶えることができるのに加えて、金属製のカバーにより接地フランジ部と複数の補強リブとの連結一体化に伴う強度が向上し、その上、前記カバーの下端縁部を、取付下地に接地可能に構成することにより、固定具本体に上下面に沿った回転力や横方向の外力が作用した時の突っ張り抵抗力をカバーの下端縁部に期待できる。
従って、他物固定具による他物の安定固定性能を向上させられるようになる。
【００１０】
本発明の第３の特徴構成は、前記接地フランジ部に取付下地に対する固定ボルトの挿通孔を設けて前記第１固定部に形成してあり、前記挿通孔に挿通させる固定ボルトの上端部よりも高い位置になるように、前記カバーを前記補強リブに取り付け可能に形成したところにある。
【００１１】
本発明の第３の特徴構成によれば、前記接地フランジ部に取付下地に対する固定ボルトの挿通孔を設けて前記第１固定部に形成することにより、第１固定部は平面視で固定具本体の中心からより遠い位置で他物固定具を取付下地に固定して、安定化を図ることができ、その上で、挿通孔に挿通させる固定ボルトの上端部よりも高い位置になるように、前記カバーを前記補強リブに取り付け可能に形成したことにより、固定ボルトの保護も可能にできる。
【００１２】
本発明の第４の特徴構成は、前記固定具本体を多角筒形状に形成してあると共に、前記機械的取付連結部に取付後の前記カバーで前記固定具本体の周部を取り囲むように、前記カバーを前記固定具本体の周方向に複数に分割して分割カバーを形成し、夫々の前記分割カバー同士の突き合わせ端部を前記固定具本体の角部以外の側面部に位置するように形成したところにある。
【００１３】
本発明の第４の特徴構成によれば、固定具本体の周部を取り囲むカバーを、固定具本体の周方向に複数に分割して分割カバーを形成し、夫々の分割カバー同士の突き合わせ端部を固定具本体の角部以外の側面部に位置するように形成することにより、例えば、多角筒形状の固定具本体の角部に、分割カバー同士の突き合わせ端部が位置する物よりも、上下面に沿った回転力や引っ張り力、及び、横方向に作用する外力によって固定具本体が歪もうとした場合に、歪は角部に集中する傾向があるが、側面部に設けた分割カバー同士の突き合わせ端部間の隙間は大きくなりにくく、そのために、例えばカバーの上面に防水層を取り付けても、その防水層が破損する危険性は回避しやすくなる。
【００１４】
本発明の第５の特徴構成は、前記分割カバーを、夫々平面視で小片部と大片部とが一体化した屈曲形状に形成して、前記小片部と前記大片部の夫々の遊端部に前記分割カバー同士の突き合わせ端部を形成したところにある。
【００１５】
本発明の第５の特徴構成によれば、分割カバーを、夫々平面視で小片部と大片部とが一体化した屈曲形状に形成して、前記小片部と前記大片部の夫々の遊端部に前記分割カバー同士の突き合わせ端部を形成したことにより、補強リブにカバーを機械的に取り付ける際に、大片部を優先的に補強リブに位置合わせして取り付ければ、仰角や大片部両端の上下に位置ずれがあっても、大片部に一体化した小片部の位置ずれは増幅されにくく、分割カバーによる固定具本体の周辺部を隙間少なく覆うことができる。
【００１６】
本発明の第６の特徴構成は、取付下地への第１固定部を下部に備えると共に、上側の固定対象である他物を固定自在な第２固定部を上部に備え、縦筒状の固定具本体の下端部の周部に横外方に延設して取付下地に接地する接地フランジ部を設け、前記接地フランジ部の上方を覆うフランジカバーを設け、前記フランジカバーを、前記固定具本体の下端部よりも高い位置から前記接地フランジ部の外周側部分とに亘って斜めに架設して、それら両者に一体連結したところにある。
【００１７】
本発明の第６の特徴構成によれば、前述の補強リブにカバーを連結することにより接地フランジ部を補強するのに代えて、接地フランジ部を補強するために、接地フランジ部と固定具本体とフランジカバーが一体連結してあるために、縦断面形状においてトラス構造を構成し、そのために、固定具本体に対して、横方向の外力、回転力が作用しても、それらに対抗力を発揮し、しかも接地フランジ部が、フランジカバーにより補強されるために、接地フランジ部の厚みを薄くできる。
また、固定具本体の下端部よりも高い位置から斜め下方に設置されるフランジカバーにより、取付下地から固定具本体上部にかけて、敷設する防水カバーの支持基盤となりやすく、施工性の向上に寄与できる。
【００１８】
本発明の第７の特徴構成は、前記接地フランジ部に取付下地に対する固定ボルトの挿通孔を設けて前記第１固定部に形成してあり、前記挿通孔に挿通させる固定ボルトの上端部よりも高い位置になるように、前記フランジカバーを前記接地フランジ部と前記固定具本体とに亘って着脱自在に取り付けたところにある。
【００１９】
本発明の第７の特徴構成によれば、接地フランジ部を固定ボルトを介して取付下地に固定する場合に、接地フランジ部を補強するフランジカバーは、固定ボルトに接触することなく固定具本体と接地フランジ部とに亘って連結することができ、しかも、必要な時に、フランジカバーを取り外して固定ボルトとの連結部分の点検や、固定ボルトを外して取付下地から他物固定具を取り外すこともできる。
【図面の簡単な説明】
【００２０】
【図１】設置状態の全体斜視図である。
【図２】全体分解斜視図である。
【図３】カバーを取り除いた状態の他物固定具の分解斜視図である。
【図４】固定具本体を横断した状態の平面図である。
【図５】他物固定具を設置した状態の縦断面図である。
【図６】別実施形態の要部の縦断面図である。
【図７】別実施形態の要部の縦断面図である。
【図８】カバーを一部取り外した別実施形態の他物固定具の設置状態を示す斜視図である。
【図９】別実施形態の一部分解した全体斜視図である
【図１０】別実施形態の要部縦断面図である。
【図１１】別実施形態の要部縦断面図である。
【発明を実施するための形態】
【００２１】
以下に本発明の実施の形態を図面に基づいて説明する。
[第１実施形態]
図１〜図５に示すように、本発明の他物固定具の一実施形態品（以後、単に固定台１という）を使用して、屋上のコンクリート床やベランダ等の建築物（取付下地２の一例）の上に、ソーラーパネルやその固定枠、又は、アンテナ用支柱のベースプレート５等の固定対象部材（他物の一例）３を固定してある状況を示している。
固定台設置箇所に固定台１を設置して、固定対象部材３を固定台１に固定してある例を示している。従って、固定台１を設置した後、その周囲に、図１、図２、図４、図５に示すように、固定台１の外周部にわたる状態に立上る防水層７を設置し、その上端部をバンド２９で縛ると共に、シール剤３０を塗布して雨水の浸入を防止して、固定台設置部分から下方への漏水防止を図っている。
前記固定対象部材（他物）３の一例としてのアンテナ支柱のベースプレート５は、固定台１における第２固定部１０にボルト１９とナットＮとで固定されている。
【００２２】
前記固定台１は、図２〜図５に示すように構成してある。
つまり、下端部にコンクリート床２への第１固定部９を設け、上端部に固定対象部材３を固定する第２固定部１０を設け、全体を鉄系材やアルミニウム等の金属製で形成して、第１固定部９を備えた下地側支持部材１２と、第２固定部１０を備えた他物支持部材１３とに上下に分割構成し、下地側支持部材１２の上端部と、他物支持部材１３の下端部とに、相互に第１ボルト２０を介して連結自在な連結部２１を設け、連結部２１の内、下地側支持部材１２の第１連結部３１に上下に沿った第１ボルト挿通用長孔３３を形成し、他物支持部材１３の第２連結部３２に、丸孔の第１ボルト挿通孔３４を形成して、第１ボルト２０及びナットＮによる締め付けにより、下地側支持部材１２に対する他物支持部材１３の相対連結姿勢が、上下及び傾斜自在になるように構成してある。
【００２３】
尚、第１連結部３１と第２連結部３２の互いに接触する面には、リン酸亜鉛の被覆層や、凹凸の溝、多数の凸部等を形成して滑り止め機能を持たせてある。
また、図中３７は屋根部で、下地側支持部材１２の内側に雨水が侵入するのを防止してある。
第１固定部９は、皿ビスやボルト等のアンカー部材８を第１固定部９に形成したアンカー部材用挿通孔１１に挿通させて取付下地に固定する。
【００２４】
前記下地側支持部材１２の一部を構成する縦筒状の固定具本体１４の下端部には、その周部に横外方に延設して取付下地２に接地する接地フランジ部１５を設け、接地フランジ部１５と固定具本体１４とに亘る補強リブ１６を、固定具本体１４の周部の複数個所に設け、接地フランジ部１５及び補強リブ１６をそれらの上方から覆うカバー１７を、補強リブ１６に設けた雌ネジ部１８からなる機械的取付連結部２３にビス又はボルト等のネジ部材２４で取り付けてある。
前記カバー１７は、固定具本体１４と同様の鉄やアルミニウム等の金属製で形成され、その下端縁部を、取付下地２に接地可能に構成してある。そのために、金属製のカバー１７により接地フランジ部１５と複数の補強リブ１６との連結一体化に伴う強度が向上し、その上、カバー１７の下端縁部を、取付下地２に接地可能に構成することにより、固定具本体１４に上下面に沿った回転力や外力が作用した時の突っ張り抵抗力を、カバー１７の下端縁部に期待できる。
【００２５】
前記接地フランジ部１５に取付下地２に対するアンカー部材８等の固定ボルトの挿通孔１１を設けて第１固定部９に形成してあり、挿通孔１１に挿通させる固定ボルト（アンカー部材１８）の上端部よりも高い位置になるように、カバー１７を補強リブ１６に取り付け可能に形成してある。従って、固定ボルトの保護も可能にできる（図５）。
【００２６】
前記固定具本体１４は、図３〜図５に示すように、４角筒形状に形成され、機械的取付連結部２３に取付後のカバー１７で固定具本体１４の周部を取り囲むように、カバー１７を固定具本体１４の周方向に複数に分割（４分割）して分割カバー１７Ａを形成し、夫々の分割カバー１７Ａ同士の突き合わせ端部２５を固定具本体１４の角部以外の側面部に位置するように形成してある。
つまり、図１、図２、図４に示すように、分割カバー１７Ａを、夫々平面視で小片部４０と大片部４１とが一体化した屈曲形状に形成して、小片部４０と大片部４１の夫々の遊端部に分割カバー１７Ａ同士の突き合わせ端部２５を形成してある。
従って、多角筒形状の固定具本体１４の角部に、分割カバー１７Ａ同士の突き合わせ端部が位置する物よりも、横方向に作用する外力によって固定具本体１４が歪もうとした場合に、分割カバー１７Ａ同士の突き合わせ端部２５間の隙間は大きくなりにくく、そのために、例えばカバー１７の上面に防水層７を取り付けても、その防水層７が破損する危険性は回避しやすくなり、その上、分割カバー１７Ａを、夫々平面視で小片部４０と大片部４１とが一体化した屈曲形状に形成して、小片部４０と大片部４１の夫々の遊端部に分割カバー１７Ａ同士の突き合わせ端部２５を形成したことにより、補強リブ１６にカバー１７を機械的に取り付ける際に、大片部４１を優先的に補強リブ１６に位置合わせして取り付ければ、少しの位置ずれがあっても、大片部４１に一体化した小片部４２の位置ずれは増幅されずに少なく、分割カバー１７Ａによる固定具本体１４の周辺部を隙間少なく覆うことができる。
【００２７】
〔別実施形態〕
以下に他の実施の形態を説明する。
〈１〉  カバー１７は、図６に示すように、補強リブ１６の機械的取付連結部２３以外に、固定具本体１４への取付部に対してボルトやビス等のネジ部材で機械的に取り付けてあっても良い。
〈２〉  カバー１７は、図７に示すように、その上端部を固定具本体１４に取り付け、下端部を取付下地２に直接取り付けてあっても良い。
〈３〉  補強リブ１６は、図８に示すように、断面コの字型に形成してあって、軽量化を図った状態で強度を上げてある構造でもよい。
【００２８】
[第２実施形態]
他物固定具は、図９に示すように、取付下地２への第１固定部９を下部に備えると共に、上側の固定対象である他物を固定自在な第２固定部１０を上部に備え、縦筒状の固定具本体１４の下端部の周部に横外方に延設して取付下地２に接地する接地フランジ部１５を設け、接地フランジ部１５の上方を覆う金属製のフランジカバー４２を設け、そのフランジカバー４２を、縦断面形状でトラス構造が形成されるように、固定具本体１４の下端部よりも高い位置から接地フランジ部１５の外周側部分とに亘って斜めに架設して、それら両者に、ビス等の連結具４３を介して一体連結してある。
接地フランジ部１５に取付下地２に対する固定ボルト（アンカーボルト８）の挿通孔１１を設けて第１固定部９に形成してあり、挿通孔１１に挿通させる固定ボルト８の上端部よりも高い位置になるように、フランジカバー４２を接地フランジ部１５と固定具本体１４とに亘って着脱自在に取り付けてある。
【００２９】
（別実施形態）
図１０、図１１に示すように、接地フランジ部１５と固定具本体１４とに亘る補強リブ１６を設けたものに、フランジカバー４２を設けてあっても良く、この場合、図１０のように、その補強リブ１６にフランジカバー４２は連結してなくても、また、図１１のように、補強リブ１６とフランジカバー４２とを、ビス等の連結具４３で一体連結してあっても良い。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
２      取付下地
３      他物
９      第１固定部
１０    第２固定部
１４    固定具本体
１５    接地フランジ部
１６    補強リブ
１７    カバー
２３    機械的取付連結部
２５    突き合わせ端部
４０    小片部
４１    大片部
【図１】
2017025699.tif 000003
【図２】
2017025699.tif 000004
【図３】
2017025699.tif 000005
【図４】
2017025699.tif 000006
【図５】
2017025699.tif 000007
【図６】
2017025699.tif 000008
【図７】
2017025699.tif 000009
【図８】
2017025699.tif 000010
【図９】
2017025699.tif 000011
【図１０】
2017025699.tif 000012
【図１１】
2017025699.tif 000013